【手続補正書】
【提出日】平成19年12月26日(2007.12.26)
【手続補正１】
【補正対象書類名】明細書
【補正対象項目名】特許請求の範囲
【補正方法】変更
【補正の内容】
【特許請求の範囲】
【請求項１】
像振れを補正するために光軸直交方向にシフト駆動されるシフト部材を有する振れ補正装置であって、
前記シフト部材と光軸直交方向に一体的に移動し、かつ前記シフト部材に対して光軸方向に移動可能に保持された可動部材と、
この可動部材および前記シフト部材における各光軸直交面と、前記各光軸直交面に対向して配置される固定部材における光軸直交面との間に配置され、前記固定部材に対する前記シフト部材のシフト駆動によって転動可能なボールと、
前記可動部材と前記シフト部材との間に設けられ、前記可動部材および前記シフト部材における前記各光軸直交面により前記ボールのそれぞれを前記固定部材側に付勢する力を発生する付勢部材とを有することを特徴とする振れ補正装置。
【請求項２】
装置本体に設けられたヨークおよび磁石と、前記シフト部材に設けられたコイルとから前記シフト部材のシフト駆動力を発生する駆動手段が構成されており、
前記固定部材が前記ヨークであることを特徴とする請求項１に記載の振れ補正装置。
【請求項３】
前記ヨークおよび前記磁石が前記コイルに対して光軸方向両側にそれぞれ対となって配置され、前記シフト部材のうち前記光軸方向両側のヨークの間に配置された部分に前記可動部材が保持されており、
前記光軸方向両側のヨークのうち一方のヨークと前記可動部材との間および他方のヨークと前記シフト部材との間にそれぞれ前記ボールを配置し、
前記付勢部材の圧縮変形により生じた付勢力によって、前記一方のヨークと前記可動部材との間および前記他方のヨークと前記シフト部材との間でそれぞれ前記ボールを挟持することを特徴とする請求項２に記載の振れ補正装置。
【請求項４】
前記ヨークを挟んで光軸方向両側に、前記シフト部材および前記可動部材における前記光軸直交面が位置しており、
前記ヨークと前記可動部材との間および前記ヨークと前記シフト部材との間にそれぞれ前記ボールを配置し、
前記付勢部材の引張り変形により生じた付勢力によって、前記ヨークと前記可動部材との間および前記ヨークと前記シフト部材との間でそれぞれ前記ボールを挟持することを特徴とする請求項２に記載の振れ補正装置。
【請求項５】
前記可動部材および前記シフト部材に、前記ボールと当接して前記ボールの転動範囲を制限するための転動制限部が形成されていることを特徴とする請求項１から４のいずれか１つに記載の振れ補正装置。
【請求項６】
請求項１から５のいずれか１つに記載の振れ補正装置を備えたことを特徴とする光学機器。
【手続補正２】
【補正対象書類名】明細書
【補正対象項目名】００１９
【補正方法】変更
【補正の内容】
【００１９】
第１の押圧部材２０９は、その底面が支持枠２０１に設けられた穴部２０１ａの底面２０１ｂに突き当たるように挿入され、その球状の先端部がヨーク２０５に突き当たるように構成されている。これにより、支持枠２０１とヨーク２０５との光軸方向間隔が一定に保たれる。
【手続補正３】
【補正対象書類名】明細書
【補正対象項目名】００２３
【補正方法】変更
【補正の内容】
【００２３】
また、シフト駆動性能を悪化させないようにばねによる付勢力（押圧部材のヨークに対する加圧力）を小さくしてしまうと、シフト部材に倒れが生じ易くなってしまうため、その加圧力を適正に設定することが困難である。
【手続補正４】
【補正対象書類名】明細書
【補正対象項目名】００２６
【補正方法】変更
【補正の内容】
【００２６】
【課題を解決するための手段】
上記の目的を達成するために、本発明では、像振れを補正するために光軸直交方向にシフト駆動されるシフト部材を有する振れ補正装置において、シフト部材と光軸直交方向に一体的に移動し、かつシフト部材に対して光軸方向に移動可能に保持された可動部材と、この可動部材およびシフト部材における各光軸直交面と、各光軸直交面に対向して配置される固定部材における光軸直交面との間に配置され、固定部材に対するシフト部材のシフト駆動によって転動可能なボールと、可動部材とシフト部材との間に設けられ、可動部材およびシフト部材における各光軸直交面によりボールのそれぞれを固定部材側に付勢する力を発生する付勢部材とを設けている。
【手続補正５】
【補正対象書類名】明細書
【補正対象項目名】００２８
【補正方法】変更
【補正の内容】
【００２８】
ここで、付勢部材によって直接ボールを付勢する（付勢部材とボールとを直接、接触させる）のではなく、付勢部材とボールとの間にボールが転動する面（光軸直交面）を有する可動部材を介在させることで、ボールと付勢部材との間に滑り摩擦が生じることを防止している。
【手続補正６】
【補正対象書類名】明細書
【補正対象項目名】００３０
【補正方法】変更
【補正の内容】
【００３０】
具体的には、例えば、シフト駆動手段を構成するヨークおよび磁石がコイルの光軸方向両側にそれぞれ対となって配置され、シフト部材のうち光軸方向両側のヨークの間に配置された部分に可動部材を保持するようにして、一方のヨークと可動部材との間および他方のヨークとシフト部材との間にそれぞれボールを配置し、付勢部材の圧縮変形により生じた付勢力によって上記一方のヨークと可動部材との間および他方のヨークとシフト部材との間でボールを挟持する構成とすることにより、２つのヨークに本来必要な幅内で、しかも光軸方向前後でシフト部材を光軸直交方向にガイドすることが可能となり、光軸方向の厚みが薄く、より安定的にシフト部材の倒れを防止することが可能となる。
【手続補正７】
【補正対象書類名】明細書
【補正対象項目名】００３１
【補正方法】変更
【補正の内容】
【００３１】
また、例えば、ヨークを挟んで光軸方向両側に、シフト部材および可動部材における光軸直交面を配置し、ヨークと可動部材との間およびヨークとシフト部材との間にそれぞれ転動可能にボールを配置して、付勢部材の引張り変形により生じた付勢力によってヨークと可動部材との間およびヨークとシフト部材との間でボールを挟持する構成とすることにより、光軸方向前後からヨークを挟み込むかたちでシフト部材を光軸直交方向にガイドすることが可能となり、より安定的にシフト部材の倒れを防止することが可能となる。
【手続補正８】
【補正対象書類名】明細書
【補正対象項目名】００３２
【補正方法】変更
【補正の内容】
【００３２】
さらに、シフト駆動中等においてボールが適正な転動範囲から逸脱しないように、可動部材やシフト部材に、ボールと当接してボールの転動範囲を制限するための転動制限部を形成することにより、ヨークに転動制限部を形成するための加工を施す必要がなくなり、コストアップを抑えて上記目的を達成することが可能となる。
【手続補正９】
【補正対象書類名】明細書
【補正対象項目名】００３４
【補正方法】変更
【補正の内容】
【００３４】
図１において、１は補正レンズＬを保持する支持枠（シフト部材）であり、この支持枠１には、シフト駆動力を発生するシフト駆動用のコイル３がピッチ方向の１箇所およびヨー方向の１箇所（図示せず）にそれぞれ一体的に設けられている。
【手続補正１０】
【補正対象書類名】明細書
【補正対象項目名】００４６
【補正方法】変更
【補正の内容】
【００４６】
これにより、第２のボール１２は、可動部材１０の凹部１０ａの底面である光軸直交面１０ｂと第２のヨーク５の前面である光軸直交面とに圧接し、さらに圧縮コイルばね９による可動部材１０の付勢反力によって、第１のボール１１は、支持枠１の第１の凹部１ａの底面である光軸直交面１ｂと第１のヨーク４の後面である光軸直交面とに圧接する。つまり、第１のボール１１は支持枠１と第１のヨーク４との間に加圧挟持され、第２のボール１２は可動部材１０と第２のヨーク５との間に加圧挟持される。
【手続補正１１】
【補正対象書類名】明細書
【補正対象項目名】００５４
【補正方法】変更
【補正の内容】
【００５４】
図２において、２１は補正レンズＬを保持する支持枠（シフト部材）であり、この支持枠２１には、シフト駆動力を発生するシフト駆動用のコイル２３がピッチ方向の１箇所およびヨー方向の１箇所（図示せず）にそれぞれ一体的に設けられている。
【手続補正１２】
【補正対象書類名】明細書
【補正対象項目名】００５９
【補正方法】変更
【補正の内容】
【００５９】
また、地板２２の内周部には嵌合突起２２ａが形成されており、この嵌合突起２２ａには、ロックリング２８の嵌合部２８ｂがロックリング２８の光軸回りでの回転を許容するよう嵌合している。
【手続補正１３】
【補正対象書類名】明細書
【補正対象項目名】００７２
【補正方法】変更
【補正の内容】
【００７２】
さらに、本実施形態では、第１のヨーク２４を前後から挟み込むかたちで支持枠２１を光軸直交方向にガイドすることができるので、より安定的に支持枠２１の倒れを防止することができる。
【手続補正１４】
【補正対象書類名】明細書
【補正対象項目名】００７４
【補正方法】変更
【補正の内容】
【００７４】
【発明の効果】
以上説明したように、本発明によれば、シフト部材がシフト駆動すると、シフト部材および可動部材と固定部材との間でボールが転動するので、これらの間に発生する摩擦力を、滑り摩擦力に比べて小さな転がり摩擦力のみとすることができる。したがって、シフト部材の倒れを確実に防止できるよう付勢部材による付勢力を十分に強くしても、良好なシフト駆動性能を確保することができる。ここで、付勢部材によって直接ボールを付勢する（付勢部材とボールとを直接、接触させる）のではなく、付勢部材とボールとの間にボールが転動する面（光軸直交面）を有する可動部材を介在させることで、ボールと付勢部材との間に滑り摩擦が生じることを防止できる。
【手続補正１５】
【補正対象書類名】明細書
【補正対象項目名】００７６
【補正方法】変更
【補正の内容】
【００７６】
また、ヨークおよび磁石がコイルの光軸方向両側にそれぞれ対となって配置されている場合に、シフト部材のうち光軸方向両側のヨークの間に配置された部分に可動部材を保持させ、一方のヨークと可動部材との間および他方のヨークとシフト部材との間にそれぞれボールを配置して、付勢部材の圧縮変形により生じた付勢力によって上記一方のヨークと可動部材との間および他方のヨークとシフト部材との間でボールを挟持する構成とすれば、２つのヨークに本来必要な幅内で、しかも光軸方向前後でシフト部材を光軸直交方向にガイドすることができ、光軸方向の厚みが薄く、より安定的にシフト部材の倒れを防止することができる。
【手続補正１６】
【補正対象書類名】明細書
【補正対象項目名】００７７
【補正方法】変更
【補正の内容】
【００７７】
また、ヨークを挟んで光軸方向両側に、シフト部材および可動部材における光軸直交面を配置し、ヨークと可動部材との間およびヨークとシフト部材との間にそれぞれボールを配置して、付勢部材の引張り変形により生じた付勢力によってヨークと可動部材との間およびヨークとシフト部材との間でボールを挟持する構成とすれば、光軸方向前後からヨークを挟み込むかたちでシフト部材を光軸直交方向にガイドすることができ、より安定的にシフト部材の倒れを防止することができる。
【手続補正１７】
【補正対象書類名】明細書
【補正対象項目名】００７８
【補正方法】変更
【補正の内容】
【００７８】
さらに、シフト駆動中等においてボールが適正な転動範囲から逸脱しないように、可動部材やシフト部材（シフト部材と固定部材との間にもボールが配置されている場合）に、ボールと当接してボールの転動範囲を制限するための転動制限部を形成すれば、固定部材（ヨーク）に転動制限部を形成するための加工を施す必要がなくなり、コストアップを抑えて上記効果を得ることができる。